(57)【要約】【課題】電源が供給された状態でのアイソレータの着脱を確実に防止しつつ汎用性を向上したソケットを提供する。【解決手段】機器入力端子６、機器出力端子７および機器電源端子８を、ソケット入力端子45、ソケット出力端子46およびソケット電源端子に接続した状態で、螺子11をソケット本体42の螺子孔55に螺合させることで、電源スイッチ57のスイッチボタン67を、螺子孔55に挿入して進出した螺子11の先端部が押圧して電源スイッチ57がオンして電源をアイソレータ１に供給する。螺子11を緩めて螺子11の先端部が後退することによりスイッチボタン67の押圧を解除することで電源スイッチ57をオフしてアイソレータ１に対して電源を遮断する。電源を供給した状態でのアイソレータ１の着脱を確実に防止できる。一般的なアイソレータ１をそのまま用いることができ、汎用性を向上できる。【選択図】図１
2007179748.tif 000002
【特許請求の範囲】
【請求項１】
電源端子と信号端子とを備えた電気機器が螺子により固定される電気機器用接続装置であって、
本体と、
この本体に設けられ、前記電源端子が接続される電源接続端子部と、
前記本体に設けられ、所定の回路部に電気的に接続され、前記信号端子が接続される信号接続端子部と、
前記本体に設けられ、前記螺子が螺合される螺合孔部と、
前記本体内に配設され、オン状態で前記電源接続端子部に対して所定の電源部から給電可能にする電源スイッチとを具備し、
前記電源スイッチは、前記螺合孔部に螺合させて進出した前記螺子の先端部により押圧されて前記電源スイッチをオンするとともに前記螺子を緩めて先端部が後退することにより前記押圧が解除されて前記電源スイッチをオフするボタン部を備えている
ことを特徴とした電気機器用接続装置。
【請求項２】
電源スイッチは、ボタン部を覆って配設され螺合孔部に螺合されて進出した螺子の先端部により押圧されて前記ボタン部を押圧する板ばねを備えている
ことを特徴とした請求項１記載の電気機器用接続装置。
【発明の詳細な説明】
【技術分野】
【０００１】
本発明は、電源端子と信号端子とを備えた電気機器が螺子により固定される電気機器用接続装置に関する。
【背景技術】
【０００２】
従来、電源端子および信号端子を備えた例えばアイソレータなどの電気機器を複数取り付けるこの種の電気機器用接続装置としてのソケットは、所定の電源部と回路部とが設けられた基板上に、本体としてのソケット本体が設けられている。このソケット本体には、共通の電源部と回路部とに電気的に接続された電源接続端子部と信号接続端子部とが、対応する電気機器毎にそれぞれ設けられている。さらに、ソケット本体には、各電気機器を固定するための螺子を螺合する螺合孔部としての螺子孔部がそれぞれ設けられている。そして、このソケット本体に対して、電源端子を電源接続端子部に、信号端子を信号接続端子部に、それぞれ電気的および機械的に接続した状態で、螺子を螺合孔部に螺合させることで、各電気機器がソケットにそれぞれ固定される。
【０００３】
このような電気機器を交換する際などに、電気機器をソケットに対して着脱する場合には、この電気機器とソケット側の電源部とを電気的に遮断しないと、ノイズが発生して他の電気機器を誤動作させるおそれがある。
【０００４】
このため、一般的に、ソケットの外部に、電気機器毎に個別の電源スイッチを設け、各電気機器の取り外しの際には、電気機器を取り外す前にそれぞれに対応する電源スイッチをオフにし、また、各電気機器の取り付けの際には、電気機器を取り付けた後にそれぞれに対応する電源スイッチをオンにする。
【０００５】
しかしながら、このような電源スイッチは、電気機器の取り外しの際にオフにし忘れる操作ミスを犯すことがあり、このような操作ミスによって、電気機器の取り外し、あるいは取り付けの際に過大なノイズが発生するおそれがある。
【０００６】
そこで、被取付部に取り付けられる電気機器の一部に、被取付部に穿設された螺子止め用の孔に対応した孔部を穿設した板を設け、この板の一部が電源スイッチを覆うようにして、螺子を孔部に挿入して被取付部の孔に締め付けることで、この螺子にて押圧された板が電源スイッチをオンさせるように構成したものが知られている（例えば、特許文献１参照。）。
【特許文献１】特開２０００−１７４４５０号公報（第３−４頁、図１）
【発明の開示】
【発明が解決しようとする課題】
【０００７】
上述の構成は、螺子の締め付けによる電気機器の固定により電源スイッチがオンされ、螺子を緩めることで電源スイッチがオフされるので、着脱の際に電源スイッチをオンしたりオフしたりする操作を忘れることに対して、一定の防止効果を有する。
【０００８】
しかしながら、上述の構成では、板が電気機器の外部に露出しているため、螺子を締め付けたり緩めたりする際などに誤ってこの板を押すと、電源スイッチがオンされてしまうおそれがあるという問題点を有している。
【０００９】
また、電気機器側に各機構を設けるため、汎用性に乏しいという問題もある。
【００１０】
本発明は、このような点に鑑みなされたもので、電源が供給された状態での電気機器の着脱を確実に防止しつつ汎用性を向上した電気機器用接続装置を提供することを目的とする。
【課題を解決するための手段】
【００１１】
請求項１記載の電気機器用接続装置は、電源端子と信号端子とを備えた電気機器が螺子により固定される電気機器用接続装置であって、本体と、この本体に設けられ、前記電源端子が接続される電源接続端子部と、前記本体に設けられ、所定の回路部に電気的に接続され、前記信号端子が接続される信号接続端子部と、前記本体に設けられ、前記螺子が螺合される螺合孔部と、前記本体内に配設され、オン状態で前記電源接続端子部に対して所定の電源部から給電可能にする電源スイッチとを具備し、前記電源スイッチは、前記螺合孔部に螺合させて進出した前記螺子の先端部により押圧されて前記電源スイッチをオンするとともに前記螺子を緩めて先端部が後退することにより前記押圧が解除されて前記電源スイッチをオフするボタン部を備えているものである。
【００１２】
請求項２記載の電気機器用接続装置は、請求項１記載の電気機器用接続装置において、電源スイッチは、ボタン部を覆って配設され螺合孔部に螺合されて進出した螺子の先端部により押圧されて前記ボタン部を押圧する板ばねを備えているものである。
【発明の効果】
【００１３】
請求項１記載の電気機器用接続装置によれば、電気機器の電源端子と信号端子とが、それぞれ本体の電源接続端子部と信号接続端子部に接続された状態で、螺子を本体の螺合孔部に螺合させることで、本体内に配設した電源スイッチのボタン部が、螺合孔部に挿入されて進出した螺子の先端部により押圧されて電源スイッチがオンされて電源が電気機器に供給されるとともに、螺子を緩めてこの螺子の先端部が後退することによりボタン部の押圧が解除されることで電源スイッチがオフされて電源が電気機器に対して遮断されるので、電源が供給された状態での電気機器の着脱を確実に防止でき、かつ、電源端子および信号端子を備え螺子にて固定される一般的な電気機器をそのまま用いることができ、汎用性を向上できる。
【００１４】
請求項２記載の電気機器用接続装置によれば、請求項１記載の電気機器用接続装置の効果に加えて、板ばねを介して螺子の先端によりボタン部を押圧することで、ボタン部をより確実に押圧できるとともに、螺子の先端部がボタン部を押圧するストロークを板ばねの厚みなどにより容易に設定できる。
【発明を実施するための最良の形態】
【００１５】
以下、本発明の一実施の形態の電気機器用接続装置の構成を図１ないし図５を参照して説明する。
【００１６】
図１において、１は電気機器としてのアイソレータを示し、このアイソレータ１は、電気機器用接続装置としてのソケット２に着脱可能に設けられている。
【００１７】
そして、アイソレータ１は、図１ないし図３に示すように、入力信号と出力信号とを電気的に絶縁した状態で受け渡しするものであり、略直方体状の機器本体５を有している。この機器本体５は、上下方向に長手状に形成され、ソケット２に対向する背面側に、信号端子としての入力端子である複数の機器入力端子６と、信号端子としての出力端子である複数の機器出力端子７と、電源端子としての機器電源端子８とが突設されている。
【００１８】
また、機器本体５のソケット２と反対側である表面側には、上下方向の中心域よりも若干下側に、アイソレータ１をソケット２に固定するための螺子11が一体的に設けられている。さらに、機器本体５の表面側には、上側寄りにパイロットランプ12が設けられている。
【００１９】
機器入力端子６は、例えば左右に２対、上下に２対、それぞれ設けられ、これら機器入力端子６は、機器本体５の左右に離間されている。
【００２０】
機器出力端子７は、例えば左右に１対設けられ、これら機器出力端子７は、機器入力端子６と上下方向に並んで位置し、機器本体５の左右に離間されている。
【００２１】
そして、機器入力端子６と機器出力端子７とは、図４に示すように、機器本体５内に収容された機器回路部15に電気的にそれぞれ接続されている。
【００２２】
ここで、機器回路部15は、例えば機器入力端子６がそれぞれ電気的に接続される入力フィルタ21を備え、この入力フィルタ21に対して、パルス幅変調回路22、フォトカプラ絶縁部23、パルス幅復調回路24、および、機器出力端子７に電気的に接続される出力回路25が順次電気的に接続されている。
【００２３】
入力フィルタ21は、機器入力端子６から入力された信号に含まれる所定のノイズを除去する部分である。
【００２４】
パルス幅変調回路22は、発振回路27に電気的に接続され、この発振回路27から発振される三角波などにより、入力フィルタ21を通過した信号の電圧振幅をパルス幅の長短に変調させる部分である。
【００２５】
フォトカプラ絶縁部23は、図示しないフォトカプラなどを備えることで、入力側と出力側とを電気的に絶縁している部分である。
【００２６】
パルス幅復調回路24は、基準電圧29に電気的に接続され、パルス幅変調回路22にて変調されたパルス幅の長短を信号の電圧振幅に復調させる部分である。
【００２７】
出力回路25は、パルス幅復調回路24によりＰＷＭ信号を直流信号に復調させた信号を出力するための部分である。
【００２８】
一方、機器電源端子８は、図３に示すように、例えば左右に１対設けられ、これら機器出力端子７は、機器入力端子６と上下方向に並んで位置し、機器本体５の左右に離間されている。さらに、これら機器電源端子８は、図４に示すように、機器本体５内に収容された絶縁電源回路31と電気的に接続されている。この絶縁電源回路31は、各機器電源端子８から入力される電源を、機器回路部15の各部に供給する部分である。
【００２９】
また、螺子11は、図２および図３に示すように、例えば機器電源端子８，８間に配設され、一端部が機器本体５の表面側に突出し、他端部が機器本体５の背面側に突出している。さらに、この螺子11の一端部には、この螺子11を螺合する際に操作される大径のつまみ部33が形成され、この螺子11の他端部の外周面には雄螺子部34が形成されている。そして、この螺子11は、最大に締め付けた状態でつまみ部33が機器本体５の表面に略密着し、雄螺子部34側が各端子７，８よりも突出するように構成されている。
【００３０】
そして、パイロットランプ12は、アイソレータ１に電源が供給されてアイソレータ１が動作可能となった状態で点灯するように設けられている。
【００３１】
一方、ソケット２は、図１および図５に示すように、アイソレータ１と反対側に位置するソケット用プリント基板41（以下、単に基板41という）と、この基板41に一体的に設けられた本体としてのソケット本体42とを備えている。
【００３２】
基板41には、各アイソレータ１に対応した図示しない回路部と、外部の共通の電源部から供給された電源を各アイソレータ１に供給する電源回路部とが、それぞれ設けられている。
【００３３】
ソケット本体42には、機器入力端子６に対応する複数の信号接続端子部としてのソケット入力端子45が設けられている。同様に、ソケット本体42には、機器出力端子７に対応する複数の信号接続端子部としてのソケット出力端子46と、機器電源端子８に対応する複数の電源接続端子部としてのソケット電源端子47とがそれぞれ設けられている。
【００３４】
さらに、ソケット本体42には、端子台入力端子51、端子台出力端子52、および、図示しない端子台電源端子がそれぞれ設けられている。そして、ソケット本体42には、螺子11が螺合される螺合孔部としての機器固定用雌螺子である螺子孔55が設けられ、この螺子孔55の基板41側には、アイソレータ１の電源用の電源スイッチ57を収容する収容空間部58が螺子孔55に連通して設けられている。
【００３５】
ソケット入力端子45は、機器入力端子６がそれぞれ挿入されて電気的および機械的に接続される孔部であり、入力信号線61を介して基板41側と電気的に接続されている。
【００３６】
同様に、ソケット出力端子46は、機器出力端子７がそれぞれ挿入されて電気的および機械的に接続される孔部であり、出力信号線63を介して基板41側の回路部と電気的に接続されている。
【００３７】
ソケット電源端子47は、機器電源端子８がそれぞれ挿入されて電気的および機械的に接続される孔部であり、図示しない電源線および電源スイッチ57を介して基板41側の電源回路部と電気的に接続されている。
【００３８】
端子台入力端子51は、外部からの入力信号をアイソレータ１へと入力するための端子であり、基板41の回路部に電気的に接続されている。
【００３９】
端子台出力端子52は、アイソレータ１を介して出力された出力信号を外部へと出力するための端子であり、基板41の回路部に電気的に接続されている。
【００４０】
端子台電源端子は、外部の電源部から供給される電源を基板41の電源回路部へと入力するための端子である。
【００４１】
螺子孔55は、例えばソケット電源端子47，47間に配設され、螺子11の雄螺子部34が螺合する雌螺子部65が内周に設けられている。
【００４２】
電源スイッチ57は、基板41に直接実装され、この基板41を介して電源回路部と電気的に接続され、オン状態でこの電源回路部を介して外部の電源部からソケット電源端子47および機器電源端子８を介してアイソレータ１側へと電源を供給可能とし、オフ状態で電源回路部とアイソレータ１側とを電気的に遮断するものである。
【００４３】
また、この電源スイッチ57は、収容空間部58内にて螺子孔55に対向する位置に配設されている。すなわち、この電源スイッチ57は、ソケット本体42内に配設されている。そして、この電源スイッチ57は、直方体状の中空なスイッチ本体66と、このスイッチ本体66から基板41と反対側である螺子孔55側へと突出したボタン部としてのスイッチボタン67と、このスイッチボタン67の螺子孔55側に設けられた板ばね68とを有している。
【００４４】
スイッチ本体66の内部には、図示しない常開のスイッチ接点が設けられ、このスイッチ接点はスイッチボタン67に接続されている。
【００４５】
スイッチボタン67は、スイッチ本体66の外方、すなわち螺子孔55側へと付勢されており、この付勢に抗してスイッチ本体66側へと押されることでスイッチ接点が閉成して電源スイッチ57がオンされ、スイッチボタン67をスイッチ本体66側へと押す外力が解除されると元の位置に復帰し、スイッチ接点を開成して電源スイッチ57がオフされるように構成されている。
【００４６】
板ばね68は、一端部がスイッチ本体66に固定され、他端が自由端状に延設されており、この自由端側が、通常の状態でスイッチボタン67に対して離間されている。そして、この板ばね68の自由端側は、螺子孔55に対向する位置まで延設され、この螺子孔55側へと付勢されている。
【００４７】
次に、上記一実施の形態の動作を説明する。
【００４８】
アイソレータ１をソケット２に接続する際には、まず、アイソレータ１の機器本体５の背面側をソケット２側に向けて、各端子６，７，８をソケット２の端子45，46，47に位置合わせして挿入する。
【００４９】
この状態で、各端子６，７，８と各端子45，46，47とは、互いに電気的および機械的に接続されるものの、電源部からの各アイソレータ１への電源は、電源スイッチ57により遮断されている。
【００５０】
さらに、螺子11のつまみ部33を回転操作することで、螺子11の雄螺子部34がソケット２の螺子孔55の雌螺子部65と螺合して、アイソレータ１がソケット２に固定される。
【００５１】
このとき、図６に示すように、螺子11の螺子孔55への螺合に従って螺子11の先端部が収容空間部58内へと進出し、この進出に伴い、螺子11の先端部が板ばね68に接触し、この板ばね68を付勢に抗して押し曲げ、この板ばね68がスイッチボタン67に接触し、この板ばね68とともにスイッチボタン67をスイッチ本体66側へと押し込み、このスイッチボタン67が所定位置まで押し込まれるとスイッチ本体66内のスイッチ接点が閉成して電源スイッチ57がオンされ、電源部からの電源が基板41の電源回路を介してソケット電源端子47に発生し、この電源がアイソレータ１側に自動的に供給される。
【００５２】
この結果、この供給された電源により、アイソレータ１のパイロットランプ12が点灯するとともに、アイソレータ１の絶縁電源回路31から機器回路部15の各部へと電源が供給され、アイソレータ１が駆動する。
【００５３】
アイソレータ１をソケット２から取り外す際には、螺子11のつまみ部33を取り付け時と逆方向に回転操作することで、螺子11の先端部が後退し、この後退に伴い、螺子11の先端部により押圧されていた板ばね68とスイッチボタン67とがそれぞれ元の位置に徐々に復帰する。
【００５４】
螺子11が所定位置まで後退すると、電源スイッチ57のスイッチ接点が開成されて電源スイッチ57がオフされ、ソケット電源端子47に発生していた電源部からの電源の供給がこのアイソレータ１側に対して自動的に遮断され、パイロットランプ12が消灯する。
【００５５】
そして、螺子11の雄螺子部34とソケット２の螺子孔55の雌螺子部65との螺合を外した後、ソケット２に対してアイソレータ１を引き抜くことで、各端子６，７，８が端子45，46，47から外れ、ソケット２がアイソレータ１から取り外される。
【００５６】
上述したように、上記一実施の形態では、アイソレータ１の各端子６，７，８をソケット２の各端子45，46，47に接続した状態で、螺子11を螺子孔55に螺合させることで、ソケット本体42内に配設した電源スイッチ57のスイッチボタン67が、螺子孔55に挿入されて進出した螺子11の先端部により板ばね68を介して押圧されて電源スイッチ57がオンされてアイソレータ１に電源が供給されるとともに、螺子11を緩めてこの螺子11の先端部が後退することによりスイッチボタン67の押圧を解除することで電源スイッチ57がオフされてアイソレータ１に対して電源が遮断される構成とした。
【００５７】
すなわち、上記一実施の形態では、アイソレータ１の取り付けの際には、各端子６，７，８をソケット２の各端子45，46，47に接続した後にアイソレータ１に電源が供給され、アイソレータ１の取り外しの際には、アイソレータ１への電源の供給が遮断された後に各端子６，７，８をソケット２の各端子45，46，47から取り外し可能にする構成とした。
【００５８】
この結果、電源が供給された状態でアイソレータ１をソケット２から着脱することを確実に防止でき、電源が供給された状態のままの着脱により発生する過大なノイズなどを抑制でき、かつ、このノイズなどが信号に混入することにより他のアイソレータ１などが誤動作することなどをも確実に防止でき、システムの安定性を向上できる。
【００５９】
また、電源スイッチ57は、ソケット２内の収容空間部58に配設されているので、アイソレータ１の着脱の際に、作業者が誤って電源スイッチ57に触れてこの電源スイッチ57をオンさせてしまうことなどをも確実に防止できる。
【００６０】
さらに、電源スイッチ57などをソケット２側に設けるので、一般的なアイソレータ１を、特別な構成を設けることなくそのままソケット２に着脱でき、汎用性を向上できる。
【００６１】
そして、ソケット２の外部などに別個に電源スイッチを設ける必要がなく、ソケット２と電源スイッチとの、リード線などによる配線なども必要なくなり、構成を簡略化できる。
【００６２】
また、板ばね68を介してスイッチボタン67を押圧することで、スイッチボタン67をより確実に押圧できるとともに、螺子11の先端部がスイッチボタン67を押圧するストロークを板ばね68の厚みなどにより容易に所望の値に設定できる。
【００６３】
なお、上記一実施の形態において、アイソレータ１は、上記構成に限定されるものではない。すなわち、機器入力端子６および機器出力端子７の個数、位置、あるいは機器回路部15の構成などは、任意に設定できる。
【００６４】
また、上記一実施の形態では、電気機器をアイソレータ１として説明したが、入力端子と出力端子とを有し螺子で固定できる電気機器であれば、アイソレータ１以外の任意の電気機器に対して適用できる。
【００６５】
さらに、電源スイッチ57は、板ばね68を設けずに、螺子11の先端部で直接スイッチボタン67を押圧する構成としてもよい。この場合には、電源スイッチ57の構成をより簡略化できる。
【図面の簡単な説明】
【００６６】
【図１】本発明の一実施の形態の電気機器用接続装置およびこの電気機器用接続装置に接続される電気機器を一部を切り欠いて示す説明側面図である。
【図２】同上電気機器を示す斜視図である。
【図３】同上電気機器を示す背面図である。
【図４】同上電気機器用接続装置の内部構造を示すブロック図である。
【図５】同上電気機器用接続装置を示す正面図である。
【図６】同上電気機器用接続装置に電気機器を接続した状態を一部を切り欠いて拡大して示す説明側面図である。
【符号の説明】
【００６７】
１    電気機器としてのアイソレータ
２    電気機器用接続装置としてのソケット
６    信号端子としての機器入力端子
７    信号端子としての機器出力端子
８    電源端子としての機器電源端子
11    螺子
42    本体としてのソケット本体
45    信号接続端子部としてのソケット入力端子
46    信号接続端子部としてのソケット出力端子
47    電源接続端子部としてのソケット電源端子
55    螺合孔部としての螺子孔
57    電源スイッチ
67    ボタン部としてのスイッチボタン
68    板ばね
【図１】
2007179748.tif 000003
【図２】
2007179748.tif 000004
【図３】
2007179748.tif 000005
【図４】
2007179748.tif 000006
【図５】
2007179748.tif 000007
【図６】
2007179748.tif 000008